(57)【要約】【課題】管理が容易なクーポンを使用して、効果的に販売を促進する。【解決手段】携帯端末２は、複数の商品及び複数の店舗に関連付け可能なクーポン情報を記憶する第２記憶部２４と、複数の商品の識別情報及び前記複数の店舗の識別情報から一の識別情報を被選択情報として選択する選択部２５４と、被選択情報を管理サーバ１に送信する第２送信処理部２５１と、被選択情報に関連付けられた変換済クーポン情報を受信する第２受信処理部２５２と、変換済クーポン情報を第２記憶部２４に記憶させるとともに、クーポン情報を第２記憶部２４から消去する第２記憶制御部２５３と、を備える。【選択図】図２
2014203373.tif 000002
【特許請求の範囲】
【請求項１】
複数の商品及び複数の店舗に関連付け可能なクーポン情報を記憶する記憶部と、
前記複数の商品の識別情報及び前記複数の店舗の識別情報から一の識別情報を被選択情報として選択する選択部と、
前記被選択情報を管理サーバに送信する送信部と、
前記被選択情報に関連付けられた変換済クーポン情報を受信する受信部と、
前記変換済クーポン情報を前記記憶部に記憶させるとともに、前記クーポン情報を前記記憶部から消去する記憶制御部と、
を備える携帯端末。
【請求項２】
前記受信部は、前記複数の商品の識別情報及び前記複数の店舗の識別情報のそれぞれと、前記商品及び前記店舗に対応する割引額とを関連付けた割引額情報を前記管理サーバから受信し、
前記選択部は、受信した前記割引額情報に含まれる前記複数の商品の識別情報及び前記複数の店舗の識別情報から前記被選択情報の選択を受け付ける、
請求項１に記載の携帯端末。
【請求項３】
前記携帯端末の位置を示す位置情報を取得する位置情報取得部をさらに備え、
前記送信部は、前記割引額情報の取得要求及び前記位置情報を送信し、
前記受信部は、前記位置情報に対応する前記店舗に関連付けられている前記割引額情報を受信する、
請求項２に記載の携帯端末。
【請求項４】
クーポンに関する情報を管理する管理サーバと、前記管理サーバとネットワークを介して通信する携帯端末とを備えるクーポンシステムであって、
前記管理サーバは、
複数の商品の識別情報及び複数の店舗の識別情報のそれぞれと、前記商品及び前記店舗に対応する割引額とを関連付けた割引額情報を記憶する第１記憶部と、
前記携帯端末から、前記複数の商品の識別情報及び前記複数の店舗の識別情報から選択された一の識別情報を示す被選択情報を受信する第１受信部と、
前記割引額情報を参照して、受信した前記被選択情報に関連付けられた割引額を特定し、特定された前記割引額及び前記被選択情報に関連付けられた変換済クーポン情報を生成する生成部と、
前記被選択情報を送信した前記携帯端末に前記変換済クーポン情報を送信する第１送信部と、を有し、
前記携帯端末は、
前記複数の商品及び前記複数の店舗に関連付け可能なクーポン情報を記憶する第２記憶部と、
前記複数の商品の識別情報及び前記複数の店舗の識別情報から前記被選択情報を選択する選択部と、
選択された前記被選択情報を前記管理サーバに送信する第２送信部と、
前記管理サーバから、前記被選択情報に関連付けられた前記変換済クーポン情報を受信する第２受信部と、
前記変換済クーポン情報を前記第２記憶部に記憶させるとともに、前記クーポン情報を前記第２記憶部から消去する第２記憶制御部と、を有する、
クーポンシステム。
【請求項５】
前記第２送信部は、前記携帯端末のユーザを識別するユーザ識別情報と前記被選択情報とを前記管理サーバに送信し、
前記第１受信部は、前記ユーザ識別情報及び前記被選択情報を受信し、
前記管理サーバは、受信した前記ユーザ識別情報と前記被選択情報とを関連付けて変換実績情報として前記第１記憶部に記憶させる第１記憶制御部をさらに備える、
請求項４に記載のクーポンシステム。
【請求項６】
前記第２送信部は、前記ユーザ識別情報と、前記変換済クーポン情報を使用した旨を示す使用情報とを前記管理サーバに送信し、
前記第１受信部は、前記ユーザ識別情報及び前記使用情報を受信し、
前記第１記憶制御部は、受信した前記ユーザ識別情報と前記使用情報とを関連付けて使用実績情報として前記第１記憶部に記憶させる、
請求項５に記載のクーポンシステム。
【請求項７】
前記管理サーバは、前記変換実績情報に基づいて、前記ユーザ識別情報のユーザが、前記クーポン情報を前記変換済クーポン情報に変換した回数である変換回数を集計する集計部と、
前記携帯端末から受信したユーザ識別情報に対応する前記変換回数に基づいて、前記生成部によって特定された割引額を調整する調整部と、をさらに備え、
前記生成部は、前記調整部により調整された前記割引額及び前記被選択情報に関連付けられた変換済クーポン情報を生成する、
請求項５又は６に記載のクーポンシステム。
【請求項８】
前記第２送信部は、前記クーポン情報又は前記変換済クーポン情報を他の携帯端末に送信するとともに、前記クーポン情報又は前記変換済クーポン情報を前記他の携帯端末に送信した旨を示す譲渡情報と前記ユーザ識別情報とを前記管理サーバに送信し、
前記第１受信部は、前記ユーザ識別情報及び前記譲渡情報を受信し、
前記第１記憶制御部は、受信した前記ユーザ識別情報と前記譲渡情報とを関連付けて譲渡実績情報として前記第１記憶部に記憶させる、
請求項７に記載のクーポンシステム。
【請求項９】
前記集計部は、前記譲渡実績情報に基づいて、前記ユーザ識別情報のユーザが、前記クーポン情報を譲渡した回数である譲渡回数を集計し、
前記調整部は、前記携帯端末から受信したユーザ識別情報に対応する前記譲渡回数に基づいて、前記生成部によって特定された割引額を調整し、
前記生成部は、前記調整部により調整された前記割引額及び前記被選択情報に関連付けられた変換済クーポン情報を生成する、
請求項８に記載のクーポンシステム。
【請求項１０】
前記第１記憶部は、前記クーポン情報の保持時間を示す保持時間情報と、前記割引額を調整する調整情報とを関連付けて記憶し、
前記第２送信部は、前記被選択情報と、前記クーポン情報が発行された時刻を示す発行時間情報とを前記管理サーバに送信し、
前記調整部は、前記第１受信部が前記被選択情報を受信した時刻を示す情報と、前記発行時間情報とに基づいて前記保持時間を算出し、算出した保持時間に対応する前記調整情報に基づいて、前記生成部によって特定された割引額を調整し、
前記生成部は、前記調整部により調整された前記割引額及び前記被選択情報に関連付けられた変換済クーポン情報を生成する、
請求項７から９のいずれか１項に記載のクーポンシステム。
【請求項１１】
前記クーポン情報は前記複数の商品の識別情報及び前記複数の店舗の識別情報に関連付けられていない所定割引額を含み、前記割引額情報に含まれる前記割引額は、前記所定割引額に比べて高い、
請求項４から１０のいずれか１項に記載のクーポンシステム。
【請求項１２】
前記第２送信部は、前記管理サーバにクーポン情報を購入する旨を示す購入要求情報を送信し、
前記第１受信部は、前記購入要求情報を前記携帯端末から受信し、
前記管理サーバ１は、前記第１受信部が前記購入要求情報を受信すると、前記クーポン情報の販売に係る決済手続処理を実行する決済部をさらに備える、
請求項４から１１のいずれか１項に記載のクーポンシステム。
【発明の詳細な説明】
【技術分野】
【０００１】
本発明は、携帯端末及びクーポンシステムに関する。
【背景技術】
【０００２】
従来、所定の商品に対する割引を受け付けることができるクーポンが知られている。例えば、特許文献１では、クーポンサイトが掲示したショップサイトのクーポンやクーポンサイト独自の共通クーポンを取得し、ショップサイトにおいて、ショップサイトのクーポン又は共通クーポンを用いて所望の商品を購入するためのシステムが開示されている。また、特許文献２では、異なる割引額の複数のクーポンラベルからユーザが選択したクーポンラベルを商品に貼り付けてレジにて精算すると、クーポンラベルに表示されている金額の値引きを受ける方法が開示されている。
【先行技術文献】
【特許文献】
【０００３】
【特許文献１】特開２００１−３１９１２４号公報
【特許文献２】特開２０１０−２６２２０４号公報
【発明の概要】
【発明が解決しようとする課題】
【０００４】
特許文献１に記載のシステムにおいて、ショップサイトのクーポンを予め取得し、当該ショップサイトで使用する場合、ユーザは、様々なクーポンを保持する必要があり、管理が煩雑になるという問題があった。また、複数の店舗で共通して使用できる共通クーポンを使用する場合には、共通クーポンを使用できる全ての店舗は予め定められた割引額で商品を割引する必要があるため、店舗側の販売戦略に基づいて割引額を決定できないという問題があった。
【０００５】
特許文献２に記載の方法では、店舗がクーポンラベルを配布することによって、ユーザの来店を促すことはできるが、特定の商品の購入を促す動機づけをすることはできなかった。また、クーポンラベルの発行に紙や印刷のコストをかけているにもかかわらず、クーポンを発行した店舗は、ＰＯＳ（Point Of Sales）端末を用いなければ、クーポンが使われたか否かを把握することができず、コストに見合う効果を得られない可能性があるという問題があった。
【０００６】
本発明はこれらの点に鑑みてなされたものであり、管理が容易なクーポンを使用して、効果的に販売を促進することができる携帯端末及びクーポンシステムを提供することを目的とする。
【課題を解決するための手段】
【０００７】
本発明に係る携帯端末は、複数の商品及び複数の店舗に関連付け可能なクーポン情報を記憶する記憶部と、前記複数の商品の識別情報及び前記複数の店舗の識別情報から一の識別情報を被選択情報として選択する選択部と、前記被選択情報を管理サーバに送信する送信部と、前記被選択情報に関連付けられた変換済クーポン情報を受信する受信部と、前記変換済クーポン情報を前記記憶部に記憶させるとともに、前記クーポン情報を前記記憶部から消去する記憶制御部と、を備える。
【０００８】
また、本発明に係る携帯端末では、前記受信部は、前記複数の商品の識別情報及び前記複数の店舗の識別情報のそれぞれと、前記商品及び前記店舗に対応する割引額とを関連付けた割引額情報を前記管理サーバから受信し、前記選択部は、受信した前記割引額情報に含まれる前記複数の商品の識別情報及び前記複数の店舗の識別情報から前記被選択情報の選択を受け付けてもよい。
【０００９】
また、本発明に係る携帯端末は、前記携帯端末の位置を示す位置情報を取得する位置情報取得部をさらに備え、前記送信部は、前記割引額情報の取得要求及び前記位置情報を送信し、前記受信部は、前記位置情報に対応する前記店舗に関連付けられている前記割引額情報を受信してもよい。
【００１０】
本発明に係るクーポンシステムは、クーポンに関する情報を管理する管理サーバと、前記管理サーバとネットワークを介して通信する携帯端末とを備えるクーポンシステムであって、前記管理サーバは、複数の商品の識別情報及び複数の店舗の識別情報のそれぞれと、前記商品及び前記店舗に対応する割引額とを関連付けた割引額情報を記憶する第１記憶部と、前記携帯端末から、前記複数の商品の識別情報及び前記複数の店舗の識別情報から選択された一の識別情報を示す被選択情報を受信する第１受信部と、前記割引額情報を参照して、受信した前記被選択情報に関連付けられた割引額を特定し、特定された前記割引額及び前記被選択情報に関連付けられた変換済クーポン情報を生成する生成部と、前記被選択情報を送信した前記携帯端末に前記変換済クーポン情報を送信する第１送信部と、を有し、前記携帯端末は、前記複数の商品及び前記複数の店舗に関連付け可能なクーポン情報を記憶する第２記憶部と、前記複数の商品の識別情報及び前記複数の店舗の識別情報から前記被選択情報を選択する選択部と、選択された前記被選択情報を前記管理サーバに送信する第２送信部と、前記管理サーバから、前記被選択情報に関連付けられた前記変換済クーポン情報を受信する第２受信部と、前記変換済クーポン情報を前記第２記憶部に記憶させるとともに、前記クーポン情報を前記第２記憶部から消去する第２記憶制御部と、を有する。
【００１１】
また、本発明に係るクーポンシステムでは、前記第２送信部は、前記携帯端末のユーザを識別するユーザ識別情報と前記被選択情報とを前記管理サーバに送信し、前記第１受信部は、前記ユーザ識別情報及び前記被選択情報を受信し、前記管理サーバは、受信した前記ユーザ識別情報と前記被選択情報とを関連付けて変換実績情報として前記第１記憶部に記憶させる第１記憶制御部をさらに備えてもよい。
【００１２】
また、本発明に係るクーポンシステムでは、前記第２送信部は、前記ユーザ識別情報と、前記変換済クーポン情報を使用した旨を示す使用情報とを前記管理サーバに送信し、前記第１受信部は、前記ユーザ識別情報及び前記使用情報を受信し、前記第１記憶制御部は、受信した前記ユーザ識別情報と前記使用情報とを関連付けて使用実績情報として前記第１記憶部に記憶させてもよい。
【００１３】
また、本発明に係るクーポンシステムでは、前記管理サーバは、前記変換実績情報に基づいて、前記ユーザ識別情報のユーザが、前記クーポン情報を前記変換済クーポン情報に変換した回数である変換回数を集計する集計部と、前記携帯端末から受信したユーザ識別情報に対応する前記変換回数に基づいて、前記生成部によって特定された割引額を調整する調整部と、をさらに備え、前記生成部は、前記調整部により調整された前記割引額及び前記被選択情報に関連付けられた変換済クーポン情報を生成してもよい。
【００１４】
また、本発明に係るクーポンシステムでは、前記第２送信部は、前記クーポン情報又は前記変換済クーポン情報を他の携帯端末に送信するとともに、前記クーポン情報又は前記変換済クーポン情報を前記他の携帯端末に送信した旨を示す譲渡情報と前記ユーザ識別情報とを前記管理サーバに送信し、前記第１受信部は、前記ユーザ識別情報及び前記譲渡情報を受信し、前記第１記憶制御部は、受信した前記ユーザ識別情報と前記譲渡情報とを関連付けて譲渡実績情報として前記第１記憶部に記憶させてもよい。
【００１５】
また、本発明に係るクーポンシステムでは、前記集計部は、前記譲渡実績情報に基づいて、前記ユーザ識別情報のユーザが、前記クーポン情報を譲渡した回数である譲渡回数を集計し、前記調整部は、前記携帯端末から受信したユーザ識別情報に対応する前記譲渡回数に基づいて、前記生成部によって特定された割引額を調整し、前記生成部は、前記調整部により調整された前記割引額及び前記被選択情報に関連付けられた変換済クーポン情報を生成してもよい。
【００１６】
また、本発明に係るクーポンシステムでは、前記第１記憶部は、前記クーポン情報の保持時間を示す保持時間情報と、前記割引額を調整する調整情報とを関連付けて記憶し、前記第２送信部は、前記被選択情報と、前記クーポン情報が発行された時刻を示す発行時間情報とを前記管理サーバに送信し、前記調整部は、前記第１受信部が前記被選択情報を受信した時刻を示す情報と、前記発行時間情報とに基づいて前記保持時間を算出し、算出した保持時間に対応する前記調整情報に基づいて、前記生成部によって特定された割引額を調整し、前記生成部は、前記調整部により調整された前記割引額及び前記被選択情報に関連付けられた変換済クーポン情報を生成してもよい。
【００１７】
また、本発明に係るクーポンシステムでは、前記クーポン情報は前記複数の商品の識別情報及び前記複数の店舗の識別情報に関連付けられていない所定割引額を含み、前記割引額情報に含まれる前記割引額は、前記所定割引額に比べて高くしてもよい。また、本発明に係るクーポンシステムでは、前記第２送信部は、前記管理サーバにクーポン情報を購入する旨を示す購入要求情報を送信し、前記第１受信部は、前記購入要求情報を前記携帯端末から受信し、前記管理サーバ１は、前記第１受信部が前記購入要求情報を受信すると、前記クーポン情報の販売に係る決済手続処理を実行する決済部をさらに備えてもよい。
【発明の効果】
【００１８】
本発明によれば、管理が容易なクーポンを使用して、効果的に販売を促進することができる。
【図面の簡単な説明】
【００１９】
【図１】第１の実施形態に係るクーポンシステムの概要図である。
【図２】第１の実施形態に係る管理サーバの機能構成図である。
【図３】第１の実施形態に係る携帯端末の機能構成図である。
【図４】第１の実施形態に係る割引額情報の一例を示す図である。
【図５】第１の実施形態に係るクーポンシステムにおいて、変換済クーポン情報を使用するまでの処理の流れを示すシーケンス図である。
【図６】第１の実施形態において、割引額情報が第２表示部に表示された例を示す図である。
【図７】第１の実施形態において、変換済クーポン情報が第２表示部に表示された例を示す図である。
【図８】第２の実施形態に係る管理サーバの機能構成図である。
【図９】第２の実施形態に係る第１調整情報を示す図である。
【図１０】第３の実施形態に係る第２調整情報を示す図である。
【図１１】第４の実施形態に係る管理サーバの機能構成図である。
【図１２】第４の実施形態に係る第３調整情報を示す図である。
【図１３】第５の実施形態に係る第４調整情報を示す図である。
【発明を実施するための形態】
【００２０】
以下、本発明の実施形態について説明する。
＜第１の実施形態＞
［クーポンシステムＳの概要］
図１は、第１の実施形態に係るクーポンシステムＳの概要図である。
クーポンシステムＳは、管理サーバ１と、複数の携帯端末２（例えば、携帯端末２Ａ、携帯端末２Ｂ）とを備える。
【００２１】
管理サーバ１と携帯端末２とは、ネットワークＮを介して互いに通信可能に接続されている。ネットワークＮは、例えば、携帯電話回線及びインターネット網である。管理サーバ１は、クーポンに関する情報を管理するサーバである。管理サーバ１は、携帯端末２にクーポン情報を送信したり、商品の識別情報又は店舗の識別情報に関連付けられた変換済クーポン情報を生成して携帯端末２に送信したりする。
【００２２】
携帯端末２は、例えば、携帯電話機等、ユーザが携帯可能なデバイスである。携帯端末２は、クーポン情報又は変換済クーポン情報を記憶している。ここで、クーポン情報は、例えば、所定割引額の価値を有している。携帯端末２のユーザは、クーポン情報を、複数の商品及び複数の店舗に関連付けた割引額を有する変換済クーポン情報に変換することができる。携帯端末２のユーザが商品を購入する際に、当該クーポン情報を提示することで、商品の価格から所定割引額を割り引いて購入することができる。ユーザが商品を購入する際に、変換済クーポン情報を提示することで、変換済クーポン情報に関連付けられた識別情報に応じた割引額を割り引いて購入することができる。
【００２３】
［管理サーバ１及び携帯端末２の構成例］
続いて、管理サーバ１及び携帯端末２が備える機能について説明する。図２は、第１の実施形態に係る管理サーバ１の機能構成図である。図３は、第１の実施形態に係る携帯端末２の機能構成図である。
【００２４】
まず、管理サーバ１の基本的な機能について説明する。管理サーバ１は、図２に示すように、第１表示部１１と、第１入力部１２と、第１通信部１３と、第１記憶部１４と、第１制御部１５とを備える。
第１表示部１１は、例えば、液晶ディスプレイや有機ＥＬ（Electro-Luminescence）ディスプレイ等により構成される。第１表示部１１は、第１制御部１５の制御に応じて文字や図形等を表示する。
第１入力部１２は、例えば、マウスやキーボード等により構成され、管理サーバ１のユーザから操作入力を受け付ける。
第１通信部１３は、第１制御部１５の制御により、ネットワークＮを介して携帯端末２と通信を行う。
【００２５】
第１記憶部１４は、例えば、ＲＯＭ及びＲＡＭ等により構成される。第１記憶部１４は、携帯端末２を機能させるための各種プログラムを記憶する。第１記憶部１４は、外部メモリやＣＤ−ＲＯＭ等の記憶媒体に記憶されたプログラムを読み取って記憶してもよく、ネットワークＮを介して外部装置からダウンロードされたプログラムを記憶してもよい。
【００２６】
第１記憶部１４は、複数の商品の識別情報及び複数の店舗の識別情報のそれぞれと、これら商品及び店舗に対応する割引額とを関連付けた割引額情報を記憶する。図４は、第１の実施形態に係る割引額情報の一例を示す図である。図４においては、店舗ＩＤ及び商品ＩＤの組み合わせごとに割引額が示されている。商品ＩＤ欄の「−」は、商品が特定されないことを示しており、例えば、店舗Ａにおいては、商品によらず２００円の割引を受けることができる。この割引額情報は、例えば、ネットワークＮを介して店舗等に設置された端末から編集可能である。これにより、店舗等のユーザは、商品ごとに割引額を設定し、在庫処分したい商品を顧客に在庫処分と認識させることなく販売することができる。
【００２７】
ここで、割引額情報に含まれる割引額は、例えば、クーポン情報が有する所定割引額よりも高い。すなわち、クーポン情報は所定割引額を有し、割引額情報に含まれる割引額は、所定割引額に比べて高い。割引額情報に含まれる割引額を、クーポン情報が有する所定割引額よりも高くすることにより、携帯端末２のユーザが、商品や店舗を選択してクーポンを使用するように動機づけることができる。
【００２８】
第１制御部１５は、例えば、ＣＰＵにより構成される。第１制御部１５は、第１記憶部１４に記憶されている各種プログラムを実行することにより、管理サーバ１に係る機能を統括的に制御する。第１制御部１５は、第１受信部としての第１受信処理部１５１と、生成部１５２と、第１送信部としての第１送信処理部１５３と、第１記憶制御部１５４と、決済部１５５とを備える。第１送信処理部１５３は、第１通信部１３を介して各種情報を送信する。第１受信処理部１５１は、第１通信部１３を介して各種情報を受信する。
第１制御部１５が備える各機能については、後述する。
【００２９】
続いて、携帯端末２が備える基本的な機能について説明する。
携帯端末２は、図３に示すように、第２表示部２１と、第２入力部２２と、第２通信部２３と、第２記憶部２４と、第２制御部２５とを備える。
第２表示部２１は、例えば、液晶ディスプレイや有機ＥＬディスプレイ等により構成される。第２表示部２１は、第２制御部２５の制御に応じて文字や図形等を表示する。
第２入力部２２は、例えば、ボタンや、第２表示部２１に重ねて設けられた接触センサ等により構成される。第２入力部２２は、携帯端末２のユーザから操作入力を受け付ける。
【００３０】
第２通信部２３は、ＲＦ回路部（不図示）及びアンテナ（不図示）等により構成される。第２通信部２３は、携帯電話回線により複数の基地局ＢＳと通信することによって、ネットワークＮを介した通信を管理サーバ１と行う。また、第２通信部２３は、無線通信回線によりアクセスポイントとＷｉ−Ｆｉ通信を行うことによって、ネットワークＮを介した通信を管理サーバ１と行うこともできる。
【００３１】
第２記憶部２４は、例えば、ＲＯＭ及びＲＡＭ等により構成される。第２記憶部２４は、携帯端末２を機能させるための各種プログラムを記憶する。第２記憶部２４は、外部メモリやＣＤ−ＲＯＭ等の記憶媒体に記憶されたプログラムを読み取って記憶してもよく、ネットワークＮを介して外部装置からダウンロードされたプログラムを記憶してもよい。第２記憶部２４は、複数の商品及び複数の店舗に関連付け可能なクーポン情報を記憶する。また、第２記憶部２４は、クーポン情報から変換された変換済クーポン情報を記憶する。
【００３２】
第２制御部２５は、例えば、ＣＰＵにより構成される。第２制御部２５は、第２記憶部２４に記憶されている各種プログラムを実行することにより、携帯端末２に係る機能を統括的に制御する。第２制御部２５は、第２送信部としての第２送信処理部２５１と、第２受信部としての第２受信処理部２５２と、第２記憶制御部２５３と、選択部２５４とを備える。第２送信処理部２５１は、第２通信部２３を介して各種情報を送信する。第２受信処理部２５２は、第２通信部２３を介して各種情報を受信する。
第２制御部２５が備える各機能については、後述する。
【００３３】
［基本シーケンス］
図５は、第１の実施形態に係るクーポンシステムＳにおいて、携帯端末２によって変換済クーポン情報を使用するまでの処理の流れを示すシーケンス図である。以下、図５のシーケンス図を交えながら、第１制御部１５及び第２制御部２５の詳細な機能について説明する。なお、第１送信処理部１５３及び第１受信処理部１５１は、第１通信部１３を介して情報を送受信する。
【００３４】
まず、第２送信処理部２５１は、第２入力部２２において、クーポンの購入操作が行われたことに応じて管理サーバ１にクーポン情報を購入する旨を示す購入要求情報を送信する。
【００３５】
続いて、第１受信処理部１５１は、購入要求情報を携帯端末２から受信する。
ここで、管理サーバ１は、決済部１５５により、第１受信処理部１５１が購入要求情報を携帯端末２から受信したことに応じて、クーポン情報の販売に係る決済手続処理を実行してもよい（Ｓ１）。
続いて、第１送信処理部１５３は、第１受信処理部１５１が購入要求情報を受信したことに応じて、クーポン情報を携帯端末２に送信する。
【００３６】
第２受信処理部２５２は、第２送信処理部２５１が購入要求情報を管理サーバ１に送信した後、管理サーバ１から送信されたクーポン情報を受信する。
第２記憶制御部２５３は、第２受信処理部２５２が受信したクーポン情報を第２記憶部２４に記憶させる（Ｓ２）。
【００３７】
続いて、第２送信処理部２５１は、第２記憶部２４にクーポン情報が記憶されている状態において、第２入力部２２に対して割引額情報の取得を要求する操作が行われると、管理サーバ１に割引額情報の取得要求を送信する。
第１受信処理部１５１は、携帯端末２から割引額情報の取得要求を受信する。
第１送信処理部１５３は、第１受信処理部１５１が携帯端末２から割引額情報の取得要求を受信すると、第１記憶部１４に記憶されている割引額情報を当該携帯端末２に送信する。
【００３８】
なお、第１送信処理部１５３は、携帯端末２の位置情報に対応する店舗及び商品に関連する識別情報及び割引額を送信してもよい。このような構成において、第１記憶部１４は、割引額情報に含まれる店舗や商品を、当該店舗及び当該商品を販売する店舗の位置情報と関連付けて記憶する。携帯端末２は、自身の位置を示す位置情報を取得する位置情報取得部を備える。携帯端末２は、割引額情報の取得要求を管理サーバ１に送信する際に、携帯端末２の位置情報を送信する。第１受信処理部１５１が携帯端末２から割引額情報の取得要求及び携帯端末２の位置情報を受信すると、第１送信処理部１５３は、当該位置情報に対応する店舗及び商品に関連する識別情報及び割引額を送信する。
【００３９】
続いて、第２受信処理部２５２は、管理サーバ１から割引額情報を受信する。
続いて、選択部２５４は、第２受信処理部２５２が割引額情報を受信したことに応じて、割引額情報を第２表示部２１に表示させる。図６は、第１の実施形態において、割引額情報が第２表示部２１に表示された例を示す図である。図６では、図４に示す割引額情報に対応して、店舗Ａ及び店舗Ｂにおける割引額に関する情報と、この情報のいずれかをチェックするための複数のチェックボックス２１１が表示されている。
【００４０】
例えば、「店舗Ａでの買い物：２００円引き」は、クーポン情報を、店舗Ａにおいて販売されている全ての商品から２００円割り引いて購入することができる変換済クーポン情報に変換できることを示している。また、「店舗Ａの商品０００１：２５０円引き」は、クーポン情報を、店舗Ａにおいて販売されている商品ＩＤ「Ａ０００１」の商品から２５０円割り引いて購入することができる変換済クーポン情報に変換できることを示している。また、第２表示部２１には、チェックボックス２１１によって選択された情報が示す店舗又は商品の識別情報を選択部２５４が選択するためのユーザ操作を受け付ける選択ボタン２１２が表示されている。
【００４１】
続いて、選択部２５４は、第２入力部２２により、当該割引額情報に含まれている複数の商品の識別情報及び複数の店舗の識別情報から一の識別情報を選択する選択操作を受け付ける（Ｓ３）。そして、選択部２５４は、携帯端末２のユーザから選択操作を受け付けたことに応じて、一の識別情報を選択する。例えば、図６に示されているように、「店舗Ａの商品０００１：２５０円引き」が選択されている状態で選択操作を受け付けると、選択部２５４は、一の識別情報として、商品ＩＤ「Ａ０００１」を選択する。このようにすることで、選択部２５４は、複数の商品の識別情報及び複数の店舗の識別情報から一の識別情報を選択する。以下、選択された一の識別情報を被選択情報という。
【００４２】
続いて、第２送信処理部２５１は、選択部２５４が割引額情報に含まれる識別情報から被選択情報を選択したことに応じて、ユーザＩＤと被選択情報とを管理サーバ１に送信する。ここで、ユーザＩＤは、携帯端末２のユーザを識別するために用いられるユーザ識別情報である。
続いて、第１受信処理部１５１は、携帯端末２から、割引額情報に含まれる複数の商品の識別情報及び複数の店舗の識別情報から選択された被選択情報ユーザＩＤと被選択情報とを受信する。
【００４３】
生成部１５２は、第１受信処理部１５１が被選択情報ユーザＩＤと被選択情報とを受信したことに応じて、当該被選択情報に関連付けられた変換済クーポン情報を生成する（Ｓ４）。具体的には、生成部１５２は、第１記憶部１４に記憶されている割引額情報を参照して、受信した被選択情報に関連付けられている割引額を特定する。そして、生成部１５２は、特定された割引額及び被選択情報に関連付けられた変換済クーポン情報を生成する。
【００４４】
第１記憶制御部１５４は、受信したユーザＩＤと、被選択情報とを関連付けて変換実績情報として第１記憶部１４に記憶させる（Ｓ５）。携帯端末２から被選択情報を受信した場合、携帯端末２のユーザは、被選択情報に関連付けられた商品を購入したり、被選択情報に関連付けられた店舗で購入したりする可能性が高い。したがって、クーポンシステムＳを利用する店舗等のユーザは、変換実績情報に基づいて、例えば商品の購買予測を行うことができる。
【００４５】
続いて、第１送信処理部１５３は、被選択情報を送信した携帯端末２に、生成部１５２が生成した変換済クーポン情報を送信する。
続いて、第２受信処理部２５２は、管理サーバ１から、当該被選択情報に関連付けられた変換済クーポン情報を受信する。すなわち、第２受信処理部２５２は、第２送信処理部２５１が割引額情報に含まれる識別情報のうち、被選択情報を送信した後、管理サーバ１から、当該被選択情報に関連付けられた変換済クーポン情報を受信する。
【００４６】
続いて、第２記憶制御部２５３は、第２受信処理部２５２が受信した変換済クーポン情報を第２記憶部２４に記憶させる（Ｓ６）。ここで、第２記憶制御部２５３は、変換済クーポン情報を第２記憶部２４に記憶させるとき、第２記憶部２４に記憶されているクーポン情報を消去させる。
【００４７】
その後、携帯端末２のユーザは、例えば店舗において、変換済クーポン情報を第２表示部２１に表示させることができる。図７は、第１の実施形態において、変換済クーポン情報が第２表示部２１に表示された例を示す図である。図７に示すように、第２表示部２１には、例えば、変換済クーポン情報の内容を示す内容情報２１３と、変換済クーポン情報の使用ボタン２１４が表示されている。携帯端末２のユーザの同意を得て、店員が使用ボタン２１４を押下すると、第２送信処理部２５１は、変換済クーポン情報を使用した旨を示す使用情報と、ユーザＩＤとを管理サーバ１に送信する。これにより、携帯端末２のユーザは、購入する商品の価格から、変換済クーポン情報に含まれる被選択情報に対応する割引額を差し引いて当該商品を購入することができる。ここで、使用情報には、例えば、変換済クーポン情報に含まれる被選択情報と割引額とが含まれている。
【００４８】
第２記憶制御部２５３は、第２送信処理部２５１が使用情報を送信したことに応じて、当該使用情報に対応する変換済クーポン情報を、第２記憶部２４から消去する。これにより、第２記憶部２４に複数の変換済クーポン情報が記憶されていても、使用情報に対応する変換済クーポン情報のみ消去される。
【００４９】
なお、第２送信処理部２５１は、第２入力部２２において変換済クーポン情報を使用する操作が行われた場合において、Ｗｉ−Ｆｉ接続がＯＦＦであるとき、Ｗｉ−Ｆｉ接続をＯＮにしてもよい。このようにすることで、携帯無線回線のトラヒックを低減することができる。
【００５０】
続いて、第１受信処理部１５１は、携帯端末２から、使用情報と、携帯端末２のユーザＩＤとを受信する。
続いて、第１記憶制御部１５４は、第１受信処理部１５１が使用情報と、ユーザＩＤとを受信したことに応じて、ユーザＩＤと、使用情報と、使用情報を受信した時刻を示す情報とを関連付けて使用実績情報として第１記憶部１４に記憶させる（Ｓ７）。例えば、使用実績情報を各店舗に送信することで、各店舗等のユーザは、変換済クーポンの使用実績を確認することができる。さらに、サーバ１に携帯端末２が変換済みクーポンを送信したのちに、Ｗｉ−Ｆｉ接続を再度ＯＦＦにすることにより、一層携帯無線回線のトラヒックを低減することができる。
【００５１】
［第１の実施形態における効果］
以上のとおり、第１の実施形態に係るクーポンシステムＳの管理サーバ１は、携帯端末２の第２記憶部２４に記憶されているクーポン情報を、複数の商品の識別情報及び複数の店舗の識別情報から選択された一の識別情報を示す被選択情報と、当該被選択情報に対応する割引額とに関連付けられた変換済クーポン情報に変換し、当該変換済クーポン情報を携帯端末２に送信する。そして、携帯端末２の第２記憶制御部２５３は、変換済クーポン情報を第２記憶部２４に記憶させる。
【００５２】
このようにすることで、携帯端末２では、クーポン情報を使用したい場合に、変換済クーポン情報を管理サーバ１から取得することで、店舗ごと、商品ごとにクーポン情報を常に所持する必要がなく、クーポン情報の管理が容易になる。また、変換済クーポン情報は、選択された店舗又は商品を識別するための被選択情報に対応する割引額に関連付けられているので、変換済クーポンによって、店舗及び商品ごとに柔軟な割引額の設定が可能となる。したがって、クーポンシステムＳは、管理が容易なクーポンを使用して、効果的に販売を促進することができる。
【００５３】
また、クーポンシステムＳでは、クーポン情報を変換済クーポン情報に変換することによって、商品の割引額を最初から顧客に見せないようにするので、顧客に期待を抱かせることができる。そして、例えば、他店に比べて高い割引額を設定することで、顧客の期待以上の割引サービスを実現することができる。
【００５４】
また、クーポンシステムＳの管理サーバ１は、第１記憶制御部１５４によって、ユーザＩＤと被選択情報とを関連付けて変換実績情報として第１記憶部１４に記憶させるので、クーポンシステムＳを利用する店舗等のユーザは、例えば管理サーバ１が出力する変換実績情報に基づいて、当該被選択情報に対応する商品の購入を予測することができる。
【００５５】
また、クーポンシステムＳの管理サーバ１は、第１記憶制御部１５４によって、ユーザＩＤと、変換済クーポン情報の使用情報とを関連付けて使用実績情報として第１記憶部１４に記憶させるので、クーポンシステムＳを利用する店舗等のユーザは、ＰＯＳ端末等から構成されるシステムを使用することなく、ユーザの商品購入履歴やクーポン使用履歴を取得して、マーケティングに活用することができる。
【００５６】
また、クーポンシステムＳでは、管理サーバ１がクーポン情報を購入する旨を示す購入要求情報を携帯端末２から受信したことに応じて、当該携帯端末２にクーポン情報を送信する。すなわち、携帯端末２のユーザに、クーポンの購入において、所定金額を負担させることで、高い確率でクーポン情報を使用させることができる。さらに、クーポン情報が、変換済クーポン情報に変換された場合に、変換済クーポン情報に対応する商品が購入されることを精度よく予測することができる。
【００５７】
＜第２の実施形態＞
［クーポン情報の変換回数に基づいて割引額を調整する］
続いて、第２の実施形態について説明する。第２の実施形態は、管理サーバ１が、クーポン情報の変換済クーポン情報への変換回数に基づいて、割引額情報に含まれている割引額を調整する点で第１の実施形態と異なり、その他の点では同じである。
【００５８】
図８は、第２の実施形態に係る管理サーバ１の機能構成図である。
第２の実施形態の管理サーバ１は、第１の実施形態の管理サーバ１が備える機能に加えて、集計部１５６と、調整部１５７とをさらに備える。
【００５９】
集計部１５６は、第１記憶部１４に記憶されている変換実績情報に基づいて、ユーザＩＤのユーザがクーポン情報を変換済クーポン情報に変換した回数である変換回数を集計する。すなわち、集計部１５６は、第１記憶部１４を参照して、ユーザＩＤごとに変換実績情報を集計する。
第１記憶制御部１５４は、ユーザＩＤと、集計部１５６が集計した変換回数とを関連付けて変換情報として第１記憶部１４に記憶させる。
【００６０】
第１記憶部１４は、変換回数と、割引額情報に含まれている割引額を調整する調整情報とを関連付けて第１調整情報として記憶する。調整情報は、例えば、割引額を調整する係数であり、第１送信処理部１５３が割引額情報を送信する際、及び生成部１５２が変換済クーポン情報を生成する際に、割引額に乗算される。
【００６１】
図９は、第２の実施形態に係る第１調整情報を示す図である。例えば、図９に示すように、変換回数５１回〜１００回に、調整情報として「１．０３」が関連付けられているとすると、割引額情報に含まれる割引額に当該調整情報が乗算され、割引額が３％増加する。すなわち、第１調整情報は、例えば、変換回数が多ければ多いほど、割引額が増加するように予め設定されている。
【００６２】
調整部１５７は、第１受信処理部１５１が割引額情報の取得要求及びユーザＩＤを受信したことに応じて、第１記憶部１４に記憶されている変換情報及び第１調整情報を参照し、携帯端末２から受信したユーザＩＤに関連付けられている変換回数に対応する調整情報を特定する。そして、調整部１５７は、特定した調整情報に基づいて、第１記憶部１４に記憶されている割引額情報の割引額を調整する。第１送信処理部１５３は、調整部１５７によって調整された割引額を含む割引額情報を携帯端末２に送信する。
【００６３】
その後、生成部１５２が携帯端末２から受信した被選択情報に関連付けられた割引額を特定すると、調整部１５７は、第１記憶部１４に記憶されている変換情報を参照し、携帯端末２から受信したユーザＩＤに関連付けられている変換回数を特定する。続いて、調整部１５７は、第１記憶部１４に記憶されている第１調整情報に基づいて、当該変換回数に対応する調整情報を特定する。続いて、調整部１５７は、特定した調整情報に基づいて、生成部１５２によって特定された割引額を調整する。
生成部１５２は、調整部１５７によって調整された割引額及び被選択情報に関連付けられた変換済クーポン情報を生成する。
【００６４】
［第２の実施形態における効果］
以上のとおり、第２の実施形態に係るクーポンシステムＳでは、管理サーバ１の調整部１５７が、クーポン情報の変換回数に基づいて割引額を調整するので、例えば、変換回数が多い携帯端末２のユーザに、割引額をさらに増加した変換済クーポン情報を提供することができる。これにより、携帯端末２のユーザの、クーポン情報の変換回数を高める意欲が向上するので、クーポン情報が変換されて、商品の購買に利用される確率を高めることができる。
【００６５】
＜第３の実施形態＞
［クーポン情報の譲渡回数に基づいて割引額を調整する］
続いて、第３の実施形態について説明する。第３の実施形態は、携帯端末２におけるクーポン情報又は変換済クーポン情報の他の携帯端末２への譲渡回数に基づいて、割引額情報に含まれている割引額を調整する点で第１の実施形態と異なり、その他の点では同じである。
なお、第３の実施形態に係る管理サーバ１の機能構成は、第２の実施形態に係る管理サーバ１の機能構成と同一であるので、説明を省略する。
【００６６】
携帯端末２のユーザは、クーポン情報又は変換済クーポン情報を譲渡するための操作をすることで、携帯端末２に保存されているクーポン情報又は変換済クーポン情報を、他の携帯端末２のユーザに譲渡することができる。具体的には、第２送信処理部２５１は、第２入力部２２が所定の操作を受け付けたことに応じて、第２記憶部２４に記憶されているクーポン情報又は変換済クーポン情報を他の携帯端末２に送信する。これにより、クーポン情報又は変換済クーポン情報が他の携帯端末２のユーザに譲渡される。
第２記憶制御部２５３は、第２送信処理部２５１がクーポン情報又は変換済クーポン情報を他の携帯端末２に送信したことに応じて、送信されたクーポン情報又は変換済クーポン情報を第２記憶部２４から消去する。
【００６７】
続いて、第２送信処理部２５１は、クーポン情報又は変換済クーポン情報を他の携帯端末２に送信した旨を示す譲渡情報と、クーポン情報又は変換済クーポン情報を送信した携帯端末２のユーザのユーザＩＤとを管理サーバ１に送信する。
続いて、第１受信処理部１５１が、携帯端末２から、ユーザＩＤと譲渡情報とを受信すると、第１記憶制御部１５４は、受信したユーザＩＤと譲渡情報とを関連付けて譲渡実績情報として第１記憶部１４に記憶させる。
【００６８】
集計部１５６は、第１記憶部１４に記憶されている譲渡実績情報に基づいて、ユーザＩＤに対応するユーザがクーポン情報又は変換済クーポン情報を譲渡した回数である譲渡回数を集計する。すなわち、集計部１５６は、第１記憶部１４を参照して、ユーザＩＤごとに譲渡実績情報を集計する。集計部１５６は、例えば、第１受信処理部１５１が譲渡情報を受信するたびに譲渡実績情報を集計する。
第１記憶制御部１５４は、ユーザＩＤと譲渡回数とを関連付けて譲渡情報として第１記憶部１４に記憶させる。
【００６９】
第１記憶部１４は、譲渡回数と、割引額情報に含まれている割引額を調整する調整情報とを関連付けて第２調整情報として記憶する。図１０は、第３の実施形態に係る第２調整情報を示す図である。例えば、図１０に示すように、譲渡回数１回〜２０回に調整情報として「１．０１」が関連付けられているとすると、第１送信処理部１５３が割引額情報を送信する際、及び生成部１５２が変換済クーポン情報を生成する際に、調整部１５７によって割引額情報に含まれる割引額に当該調整情報が乗算され、割引額が１％増加する。すなわち、第２調整情報は、譲渡回数が多ければ多いほど、割引額が増加するように予め設定されている。
【００７０】
調整部１５７は、第１受信処理部１５１が割引額情報の取得要求及びユーザＩＤを受信したことに応じて、第１記憶部１４を参照して、受信したユーザＩＤに関連付けられている譲渡回数に対応する調整情報を特定し、特定した調整情報に基づいて、第１記憶部１４に記憶されている割引額情報の割引額を調整する。第１送信処理部１５３は、調整後の割引額を含む割引額情報を携帯端末２に送信する。
【００７１】
その後、生成部１５２が被選択情報に関連付けられた割引額を特定すると、調整部１５７は、第１記憶部１４に記憶されている譲渡情報を参照し、携帯端末２から受信したユーザＩＤに関連付けられている譲渡回数を特定する。続いて、調整部１５７は、第１記憶部１４に記憶されている第２調整情報に基づいて、当該譲渡回数に対応する調整情報を特定する。続いて、調整部１５７は、特定した調整情報に基づいて、生成部１５２によって特定された割引額を調整する。生成部１５２は、調整部１５７によって調整された割引額及び被選択情報に関連付けられた変換済クーポン情報を生成する。
【００７２】
［第３の実施形態における効果］
以上のとおり、第３の実施形態に係るクーポンシステムＳでは、管理サーバ１の調整部１５７が、クーポン情報又は変換済クーポン情報の譲渡回数に基づいて割引額を調整するので、例えば、クーポン情報又は変換済クーポン情報を譲渡した回数が多いユーザに、割引額をさらに増加した変換済クーポン情報を提供することができる。このようにすることで、携帯端末２のユーザがクーポンを人に贈ることを目的として購入する意欲を向上させて、クーポン情報が譲渡される回数を高め、クーポン情報の利用率をさらに高めることができる。
【００７３】
＜第４の実施形態＞
［クーポン情報の保持時間に基づいて割引額を調整する］
続いて、第４の実施形態について説明する。第４の実施形態は、クーポン情報の保持時間に基づいて、割引額情報に含まれている割引額を調整する点で第１の実施形態と異なり、その他の点では同じである。
【００７４】
図１１は、第４の実施形態に係る管理サーバ１の機能構成図である。
第４の実施形態の管理サーバ１は、第１の実施形態の管理サーバ１が備える機能に加えて、調整部１５７をさらに備える。
【００７５】
第４の実施形態において、第１送信処理部１５３は、第１受信処理部１５１がクーポン情報を購入する旨を示す購入要求情報を受信したことに応じて、クーポン情報が発行された時刻を示す発行時間情報を含むクーポン情報を携帯端末２に送信する。
【００７６】
第１記憶部１４は、クーポン情報の保持時間を示す保持時間情報と、割引額情報に含まれている割引額を調整する調整情報とを関連付けて第３調整情報として記憶する。図１２は、第４の実施形態に係る第３調整情報を示す図である。例えば、図１２に示すように、現時点で、クーポン情報の保持時間が７日である場合、調整情報として「０．９８」が関連付けられる。この場合、第１送信処理部１５３が割引額情報を送信する際、及び生成部１５２が変換済クーポン情報を生成する際に、割引額情報に含まれる割引額に当該調整情報が乗算され、割引額が２％減少する。
【００７７】
第２送信処理部２５１は、割引額情報の取得要求と、発行時間情報とを管理サーバ１に送信する。第１受信処理部１５１が割引額情報の取得要求と、発行時間情報とを受信すると、調整部１５７は、取得要求を受信した時刻を示す情報と、受信した発行時間情報とに基づいて、クーポン情報の保持時間を算出する。続いて、調整部１５７は、第１記憶部１４に記憶されている第３調整情報に基づいて、当該保持時間に対応する調整情報を特定する。続いて、調整部１５７は、特定した調整情報に基づいて、第１記憶部１４に記憶されている割引額情報の割引額を調整する。第１送信処理部１５３は、調整部１５７によって調整された割引額を含む割引額情報を携帯端末２に送信する。
【００７８】
その後、選択部２５４によって被選択情報が選択されると、第２送信処理部２５１は、被選択情報と、発行時間情報とを管理サーバ１に送信する。第１受信処理部１５１が、被選択情報と、発行時間情報とを受信すると、調整部１５７は、第１受信処理部１５１が被選択情報を受信した時刻を示す情報と、受信した発行時間情報とに基づいて保持時間を算出し、当該保持時間が示す保持時間情報に関連付けられている調整情報を特定する。続いて、調整部１５７は、特定された調整情報に基づいて、生成部１５２が特定した割引額を調整する。続いて、生成部１５２は、調整された割引額及び被選択情報に関連付けられた変換済クーポン情報を生成する。
【００７９】
［第４の実施形態における効果］
以上のとおり、第４の実施形態に係るクーポンシステムＳでは、管理サーバ１の調整部１５７が、携帯端末２におけるクーポン情報の保持時間が長いほど割引額が低くなるように割引額を調整するので、ユーザに、クーポン情報を変換済クーポン情報に早期に変換しようという動機づけを与えることができる。このようにすることで、携帯端末２のユーザに、クーポン情報を早期に変換する意欲を向上させて、クーポン情報の利用率をさらに高めることができる。
【００８０】
＜第５の実施形態＞
［時間帯ごとに割引額を変更する］
続いて、第５の実施形態について説明する。第５の実施形態は、時間帯に基づいて、割引額情報に含まれている割引額を変更する点で第１の実施形態と異なり、その他の点では同じである。
なお、第５の実施形態に係る管理サーバ１の機能構成は、第４の実施形態に係る管理サーバ１の機能構成と同一であるので、説明を省略する。
【００８１】
第１記憶部１４は、時間帯を示す時間帯情報と、割引額情報に含まれている割引額を調整する調整情報とを関連付けて第４調整情報として記憶する。図１３は、第５の実施形態に係る第４調整情報を示す図である。例えば、図１３に示すように、現在時刻に対応する時間帯が「１１時〜１２時」である場合には、当該時間帯を示す時間帯情報に調整情報として「１．０１」が関連付けられている。この場合、割引額情報に含まれる割引額に当該調整情報が乗算され、割引額が１％増加する。
【００８２】
調整部１５７は、例えば、所定時間（例えば、１分）ごとに現在時刻に対応する時間帯情報を特定する。続いて、調整部１５７は、当該時間帯情報に関連付けられている調整情報を特定し、特定した調整情報に基づいて、第１記憶部１４に記憶されている割引額情報の割引額を調整する。第１送信処理部１５３は、第１受信処理部１５１が携帯端末２から割引額情報の取得要求を受信すると、調整後の割引額を含む割引額情報を携帯端末２に送信する。
続いて、第１受信処理部１５１が被選択情報を受信すると、生成部１５２は、調整部１５７により調整された割引額及び被選択情報に関連付けられた変換済クーポン情報を生成する。
【００８３】
［第５の実施形態における効果］
以上のとおり、第５の実施形態に係るクーポンシステムＳでは、管理サーバ１の調整部１５７が、時間帯に基づいて、割引額情報に含まれている割引額を調整する。例えば、管理サーバ１の調整部１５７が、所定時間帯で割引額が高くなるように調整することで、当該時間帯においてクーポン情報を変換することが得であるとユーザに判断させることができる。その結果、クーポン情報を提供している店舗は、ユーザに商品を購入して欲しい時間帯に、ユーザに来店してもらうことができる。
【００８４】
以上、本発明を実施の形態を用いて説明したが、本発明の技術的範囲は上記実施の形態に記載の範囲には限定されない。例えば、上記実施の形態を組み合わせてもよい。上記実施の形態に、多様な変更又は改良を加えることが可能であることが当業者に明らかである。
【符号の説明】
【００８５】
１・・・管理サーバ、２・・・携帯端末、１１・・・第１表示部、１２・・・第１入力部、１３・・・第１通信部、１４・・・第１記憶部、１５・・・第１制御部、２１・・・第２表示部、２２・・・第２入力部、２３・・・第２通信部、２４・・・第２記憶部、２５・・・第２制御部、１５１・・・第１受信処理部、１５２・・・生成部、１５３・・・第１送信処理部、１５４・・・第１記憶制御部、１５５・・・決済部、１５６・・・集計部、２１１・・・チェックボックス、２１２・・・選択ボタン、２１３・・・内容情報、２１４・・・使用ボタン、２５１・・・第２送信処理部、２５２・・・第２受信処理部、２５３・・・第２記憶制御部、２５４・・・選択部、Ｓ・・・クーポンシステム
【図１】
2014203373.tif 000003
【図２】
2014203373.tif 000004
【図３】
2014203373.tif 000005
【図４】
2014203373.tif 000006
【図５】
2014203373.tif 000007
【図６】
2014203373.tif 000008
【図７】
2014203373.tif 000009
【図８】
2014203373.tif 000010
【図９】
2014203373.tif 000011
【図１０】
2014203373.tif 000012
【図１１】
2014203373.tif 000013
【図１２】
2014203373.tif 000014
【図１３】
2014203373.tif 000015